(57)【要約】  【課題】回転操作部の回転操作に応じてオーディオデータを再生する再生装置において、回転操作部の良好な操作性を維持しつつ、回転操作部の動作をより安定させる。  【解決手段】回転操作を受け付けていない回転盤９１の回転を阻止するストッパ９５として、回転盤９１とともにハウジング９３に対して回転するスプリング付きの倍力機構９５０を設ける。回転盤９１が回転操作を受け付けていない場合には、倍力機構９５０の出力により、摩擦部材９５５が、回転盤９１を回転可能に保持するハウジング９３に押し当てられるため、両者間に作用する摩擦により回転盤９１の回転が阻止される。回転盤９１が回転操作を受け付けている場合には、倍力機構９５０が回転盤９１とともに回転しながら遠心力で変位し、摩擦部材９５５がハウジング９３から離されて、回転盤９１がスムーズに回転する。【選択図】図４
2015069659.tif 000002
【特許請求の範囲】
【請求項１】
オーディオデータの再生中に、ディスク状の回転操作部がユーザからの回転操作を受け付けると、当該回転操作部の回転方向に応じて前記オーディオデータの再生順序を制御する再生装置であって、
前記回転操作部の回転軸を回転可能に保持するハウジングと、
前記回転操作部が前記回転操作を受け付けていない場合に、前記ハウジングと接触して前記回転操作部の回転を阻止し、前記回転操作部が前記回転操作を受け付けている場合に、前記回転操作部とともに回転して前記ハウジングとの接触状態を解除するストッパと、を備え、
前記ストッパは、
前記ハウジングとの接触により、前記ハウジングに対する前記回転操作部の回転を阻止する摩擦部材と、
前記回転軸に向かう方向の弾性力を受けて、前記摩擦部材を前記ハウジングに押し当てる力を発生し、前記回転操作部の回転操作に伴う回転による遠心力を受けて変位し、前記ハウジングから離れる方向に前記摩擦部材を移動させる倍力機構と、
前記倍力機構に連結され、前記弾性力を前記倍力機構に与える弾性体と、を有する
ことを特徴とする再生装置。
【請求項２】
請求項１に記載の再生装置であって、
前記倍力機構は、
前記回転操作部に揺動自在に連結され、前記回転操作部の回転操作に伴う回転により、前記回転操作部の接線方向の第一の軸周りに揺動する第一のリンク部材と、
前記回転軸の方向に沿ったスライド部が形成されたガイド部材と、
前記第一のリンク部材に対して相対的に回転可能に前記第一のリンク部材に連結され、前記第一の軸周りに揺動する前記第一のリンク部材に対して相対的に前記回転操作部の接線方向の第二の軸周りに回転するとともに、前記第二の軸から離れた位置に前記摩擦部材が固定され、前記第二の軸と前記摩擦部材と間の位置に、前記第一のリンク部材に対する相対的な回転中に、前記ガイド部材のスライド部により前記回転軸の方向に沿って案内されるスライド部が設けられた第二のリンク部材と、を備え、
前記弾性体は、前記第一のリンク部材と前記ハウジングとに連結され、前記ハウジングに対する前記第一のリンク部材の揺動に応じて前記回転操作部の径方向に伸縮し、
前記摩擦部材は、前記弾性体の伸縮に応じて、前記ハウジングから離れる方向および近づく方向に移動する
ことを特徴とする再生装置。
【請求項３】
請求項２に記載の再生装置であって、
前記第一のリンク部材と前記第二のリンク部材との連結部に取り付けられたウエイトを備える
ことを特徴とする再生装置。
【発明の詳細な説明】
【技術分野】
【０００１】
本発明は、メモリに読み込まれたオーディオデータを、回転操作部の回転操作に応じて再生する再生装置に係り、特に、回転操作部の良好な操作性を維持しつつ、回転操作部の動作を安定させる技術に関する。
【背景技術】
【０００２】
ダンスクラブ、野外ライブ等において、ディスクジョッキー（Ｄｉｓｋ  Ｊｏｃｋｅｙ：以下、ＤＪと呼ぶ）は、アナログレコードをかけながら、このアナログレコードを手動で強制的に回転させて、いわゆるスクラッチ再生と呼ばれる特殊再生を行うことがある。このようなスクラッチ再生と同様な効果音を、ジョグダイヤルの回転操作に応じて生成するＤＪ用光ディスク再生装置として、例えば、特許文献１に記載のデータ再生装置が知られている。
【０００３】
このデータ再生装置は、ＣＤ（Ｃｏｍｐａｃｔ  Ｄｉｓｃ）等の光ディスクから順次読み出すオーディオデータをセクタ単位でメモリに一旦格納し、このメモリからオーディオデータをセクタ単位で格納順に読み出しながら、このセクタを構成するサウンドフレームを順次再生する。ここで、ユーザからジョグダイヤルの回転操作を受け付けると、このデータ再生装置は、ジョグダイヤルの回転方向に応じて、メモリからのオーディオデータのセクタ読み出し順、および、セクタを構成するサウンドフレームの再生順を制御するとともに、ジョグダイヤルの回転速度に応じてオーディオデータの再生スピードを変化させる。このため、ユーザは、アナログレコードと同様な操作感覚でジョグダイヤルを双方向に回転させることにより、アナログレコードのスクラッチ再生と同様な効果音を生成することができる。
【先行技術文献】
【特許文献】
【０００４】
【特許文献１】特開平１１−８６４４６号公報
【発明の概要】
【発明が解決しようとする課題】
【０００５】
ところで、ＤＪがパフォーマンスを行うダンスクラブ等においては、大音量で音楽が流されるため、ＤＪ用光ディスク再生装置の回転操作部が共振して回転しはじめることがある。これにより、ＤＪの意図しないタイミングで、スクラッチ音が再生されてしまう可能性がある。
【０００６】
このような回転操作部の不安定な回転を防止するため、回転操作部の回転を抑制する制動部材を設けることもできるが、これにより、ユーザが回転操作部の操作に違和感を覚えることがある。
【０００７】
本発明は、上記事情に鑑みてなされたものであり、その目的は、回転操作部の回転操作に応じてオーディオデータを再生する再生装置において、回転操作部の良好な操作性を維持しつつ、回転操作部の動作をより安定させることにある。
【課題を解決するための手段】
【０００８】
上記課題を解決するために、本発明においては、ディスク状の回転操作部が回転操作を受け付けていない場合に回転操作部の回転を阻止するストッパとして、回転操作部とともに、回転操作部の回転軸を回転可能に保持するハウジングに対して回転する弾性体付きの倍力機構を設ける。倍力機構は、回転操作部の停止中には、回転軸に向かう方向の弾性力を弾性体から受けて、摩擦部材をハウジングに押し当てる力を発生し、回転操作部の回転操作受け付け中には、回転操作部の回転とともに回転し、遠心力を受けて、ハウジングから離れる方向に摩擦部材を移動させる。
【０００９】
例えば、本発明は、オーディオデータの再生中に、ディスク状の回転操作部がユーザからの回転操作を受け付けると、当該回転操作部の回転方向に応じて前記オーディオデータの再生順序を制御する再生装置であって、
前記回転操作部の回転軸を回転可能に保持するハウジングと、
前記回転操作部が前記回転操作を受け付けていない場合に、前記ハウジングと接触して前記回転操作部の回転を阻止し、前記回転操作部が前記回転操作を受け付けている場合に、前記回転操作部とともに回転して前記ハウジングとの接触状態を解除するストッパと、を備え、
前記ストッパは、
前記ハウジングとの接触により、前記ハウジングに対する前記回転操作部の回転を阻止する摩擦部材と、
前記回転軸に向かう方向の弾性力を受けて、前記摩擦部材を前記ハウジングに押し当てる力を発生し、前記回転操作部の回転操作に伴う回転による遠心力を受けて変位し、前記ハウジングから離れる方向に前記摩擦部材を移動させる倍力機構と、
前記倍力機構に連結され、前記弾性力を前記倍力機構に与える弾性体と、を有する。
【発明の効果】
【００１０】
本発明によれば、回転操作部がユーザから回転操作を受け付けていない場合には、ハウジングとこれに接触している摩擦部材との摩擦により回転操作部の回転が阻止され、回転操作部がユーザから回転操作を受け付けている場合には、ハウジングから摩擦部材が離れて、回転操作部が、ユーザの回転操作に応じてスムーズに回転する。このため、回転操作部の良好な操作性を維持しつつ、回転操作部の動作をより安定させることができる。
【図面の簡単な説明】
【００１１】
【図１】図１は、本発明の一実施の形態に係る再生装置の概略機能構成図である。
【図２】図２（Ａ）は、ディスク型回転操作ユニット９０の外観図であり、図２（Ｂ）は、図２（Ａ）のＡ−Ａ断面図である。
【図３】図３は、ストッパ９５の取付け部分の拡大図である。
【図４】図４は、回転盤９１の回転操作に応じたストッパ９５の動作を説明するための図である。
【発明を実施するための形態】
【００１２】
以下に、図面を参照しながら、本発明の一実施の形態について説明する。
【００１３】
まず、本実施の形態に係る再生装置の全体構成について説明する。ここでは、ＣＤ、ＤＶＤ（Ｄｉｇｉｔａｌ  Ｖｅｒｓａｔｉｌｅ  Ｄｉｓｃ）等の光ディスクに記録されたオーディオデータを再生する再生装置を例に挙げる。
【００１４】
図１は、本実施の形態に係る再生装置１００の概略機能構成図である。
【００１５】
本実施の形態に係る再生装置１００は、装着された光ディスクからデジタルオーディオデータを再生する再生部１と、再生部１が再生したデジタルオーディオデータに所定の信号処理（復調等）を施す信号処理部２と、ＲＡＭ（Ｒａｎｄｏｍ  Ａｃｃｅｓｓ  Ｍｅｍｏｒｙ）３と、信号処理部２による信号処理後のデジタルオーディオデータをＲＡＭ３に一旦記憶させるとともにＲＡＭ３からデジタルオーディオデータを読み出すメモリ制御部４と、メモリ制御部４によりＲＡＭ３から読み出されたデジタルオーディオデータをアナログ変換するＤＡＣ（Ｄｉｇｉｔａｌ  ｔｏ  Ａｎａｌｏｇ  Ｃｏｎｖｅｒｔｅｒ）５と、ＤＡＣ５によるアナログ変換後のオーディオデータを外部に出力する出力端子６と、再生装置１００の各部を統括的に制御する制御部７と、制御部７が実行する制御プログラム等が格納された記憶部８と、ユーザ（例えばＤＪ）から各種操作を受け付ける操作部９と、を備えている。
【００１６】
このような構成において、制御部７は、記憶部８から読み出した制御プログラムの実行により、操作部９がユーザから受け付けた操作に応じて、再生部１、信号処理部２およびメモリ制御部４を制御し、光ディスクから再生したオーディオデータを出力端子６から出力する。
【００１７】
例えば、再生部１は、操作部９が通常再生開始操作を受け付けたことを検知すると、以下に示すように、再生部１、信号処理部２およびメモリ制御部４を制御して、光ディスクに記録されたオーディオデータの通常再生を開始する。再生部１は、装着された光ディスクを回転させながら、この光ディスクに記録されているデジタルオーディオデータを逐次再生して、所定フォーマットに変換する。信号処理部２は、再生部１から逐次出力される所定フォーマットのデジタルオーディオデータに所定の信号処理を施す。メモリ制御部４は、信号処理部２による信号処理後のデジタルオーディオデータをＲＡＭ３に一旦書き込んでから、ＲＡＭ３からデジタルオーディオデータを標準の読み出し速度で書き込み順（アドレスの昇順）に逐次読み出す。ＤＡＣ５は、メモリ制御部４から出力されるデジタルオーディオデータをアナログオーディオ信号に変換し、出力端子６から出力する。これにより、オーディオデータが、標準速度で、通常の再生順にしたがって再生される（通常再生）。
【００１８】
このようなオーディオデータの通常再生中に、アナログレコードと同様な手動操作でスクラッチ再生を行うことができるように、操作部９は、ユーザから回転操作を受け付ける回転操作部としてディスク型回転操作ユニット９０を有している。
【００１９】
図２（Ａ）は、ディスク型回転操作ユニット９０の外観図であり、図２（Ｂ）は、図２（Ａ）のＡ−Ａ断面図である。また、図３は、ストッパ９５の取付け部分の拡大図である。
【００２０】
図２に示すように、このディスク型回転操作ユニットは、円形状の操作面９１１を上方に向けたディスク状の回転盤９１と、操作面９１１の中心部を軸Ｏ１が通過するように、回転盤９１の裏側（操作面の反対側）中央部に設けられた回転軸固定用ボス９１４に一方の端部（上端部）が固定された回転軸９２と、ベアリング９４を介して回転軸９２の他方の端部（下端部）を軸Ｏ１周りに回転可能に保持するハウジング９３と、ハウジング９３に対する回転盤９１の回転変位（回転方向および回転速度）を検出する光学式のロータリエンコーダ（不図示）と、を有している。このような構成において、ユーザが、円形状の操作面９１１において回転操作を行い、回転盤９１を回転軸９２周りに強制的に回転させると、この回転盤９１の回転方向および回転速度に応じた信号がロータリエンコーダから逐次出力される。
【００２１】
例えば、オーディオデータの通常再生中に、ユーザが、円形状の操作面９１１に対して回転操作を行うと、制御部７は、ロータリエンコーダの出力信号から回転盤９１の回転を検知して、その回転方向および速度をロータリエンコーダの出力信号から逐次検出し、以下に示すように、この検出結果に応じて、光ディスクに記録されたオーディオデータのスクラッチ再生を実行する。
【００２２】
制御部７は、ＲＡＭ３からのオーディオデータの読み出し順および読み出し速度として、検出した回転方向に対応する読み出し順、および、検出した回転速度に対応する読み出し速度をメモリ制御部４に指示する。これに応じて、メモリ制御部４は、指示された読み出し速度で、指示された読み出し順にしたがってデジタルオーディオデータをＲＡＭ３から読み出す。例えば、回転盤９１の回転方向が時計回り方向であれば、ＲＡＭ３からオーディオデータがアドレスの昇順に読み出され、回転盤９１の回転方向が反時計回り方向であれば、ＲＡＭ３からオーディオデータがアドレスの降順に読み出される。また、ＲＡＭ３からのオーディオデータの読み出し速度は、回転盤９１の回転速度が速くなるほど例えば段階的に速くなり、回転盤９１の回転速度が遅くなるほど例えば段階的に遅くなる。これにより、オーディオデータが、ユーザの回転操作に応じて、標準速度よりも速い速度または遅い速度で、通常の再生順またはその逆順に再生される（スクラッチ再生）。
【００２３】
さて、ディスク型回転操作ユニット９０は、このようなスクラッチ再生のための回転操作を受けるための構成９１〜９４に加え、さらに、回転盤９１の停止中に回転盤９１の回転を阻止する１つ以上のストッパ９５を有している。なお、図１には、ストッパ９５を２つ配置した場合を例示しているが、ストッパ９５の数は、要求される制動力に応じて適宜変更可能である。
【００２４】
このストッパ９５は、図３に示すように、倍力機構（トグル機構）９５０と、回転軸９２に向かう方向の弾性力を倍力機構９５０に加えるスプリング９５３と、スプリング９５３の弾性力を受けた倍力機構９５０が発生する力によりハウジング９３に押し当てられるフェルト等の摩擦部材９５５と、を有している。
【００２５】
倍力機構９５０は、回転盤９１とともに回転する２本のリンク部材９５１、９５２およびガイド部材９５４を有しており、回転盤９１の停止中には、摩擦部材９５５をハウジング９３に押し付け、回転盤９１の回転中には、回転盤９１とともに回転しながら、摩擦部材９５５を、ハウジング９３から遠ざける方向に移動させる。
【００２６】
回転盤９１裏側の回転軸固定用ボス９１４の外周には取付け部９１２が形成されており、２本のリンク部材９５１、９５２のうち、一方のリンク部材（第一のリンク部材）９５１は、その一方の端部が、この取付け部９１２に、回転盤９１の接線方向の軸Ｏ２周りに回転自在にピン接合されている。これにより、第一のリンク部材９５１は、回転盤９１の径方向の外力（遠心力、スプリング９５３の弾性力）を受けて軸Ｏ２周りに揺動する。
【００２７】
また、他方のリンク部材（第二のリンク部材）９５２は、その一方の端部が、第一のリンク部材９５１の他方の端部に、回転盤９１の接線方向の軸Ｏ３回りに回転自在にピン接合されている。これにより、第二のリンク部材９５２は、第一のリンク部材９５１の揺動に連動して、第一のリンク部材９５１に対して相対的に軸Ｏ３周りに回転する。
【００２８】
また、第二のリンク部材９５２には、その他方の端部に摩擦部材９５５が固定され、第一のリンク部材９５１とのピン接合部とこの摩擦部材９５５との間の位置にスライドピン９５２１が固定されている。ガイド部材９５４は、２本のリンク部材９５１、９５２と回転軸９２との間に配置され、例えば回転盤９１の裏側の回転軸固定用ボス９１４に固定されている。このガイド部材９５４には、回転軸９２の軸Ｏ１に沿ったガイド溝９５４１が形成され、このガイド溝９５４１の内部にスライドピン９５２１がスライド可能に配置される。このため、第一のリンク部材９５１の揺動に連動して第二のリンク部材９５２が揺動すると、スライドピン９５２１がこのガイド溝９５４１によって回転軸９２の軸Ｏ１方向に案内され、その結果、摩擦部材９５５が、一定の軌道に沿って、ハウジング９３の内側面（回転盤９１との対向面）９３０に近づく方向およびハウジング９３の内側面９３０から遠ざかる方向の双方向に移動する。ハウジング９３の内側面９３０には、回転軸９２を囲む環状の溝９３１が形成されており、摩擦部材９５５は、２本のリンク部材９５１、９５２がハウジング９３に向かってほぼ直線状に並んだ状態（初期状態）において、この溝９３１の溝底９３２に接触している。回転盤９１の取付け部９１２には、初期状態における第一のリンク部材９５１に回転軸９２側から接触する突起部９１３が形成されており、第一のリンク部材９５１が初期状態の姿勢からさらに回転軸９２側へ揺動するのを制限する。
【００２９】
また、ガイド部材９５４には、２本のリンク部材９５１、９５２の連結ピンとほぼ同じ高さの位置にフック固定用ポスト９５４２が固定されており、プリロード状態（自然長よりも伸ばされた状態）のスプリング９５３が、このフック固定用ポスト９５４２と２本のリンク部材９５１、９５２の連結ピンとに掛け渡されている。これにより、初期状態において、倍力機構９５０の２本のリンク部材９５１、９５２の連結部に、回転軸９２に向かう方向の弾性力が作用するため、摩擦部材９５５は、倍力機構９５０が出力する、この弾性力より大きな力によって溝９３１の溝底９３２に押し当てられている。
【００３０】
つぎに、ストッパ９５の動作について説明する。
【００３１】
図４（Ａ）は、回転盤９１が回転操作を受け付けていない場合におけるストッパ９５の状態を示し、図４（Ｂ）は、回転盤９１が回転操作を受け付けている場合におけるストッパ９５の状態を示している。
【００３２】
ユーザが回転盤９１を回転操作しておらず、回転盤９１が停止している場合、図４（Ａ）に示すように、２つのリンク部材９５１、９５２は、それらの連結部にプリロード状態のスプリング９５３の弾性力を受けながらほぼ直線状に並び、摩擦部材９５５は、ハウジング９３の溝９３１の溝底９３２に接触している。ここで、倍力機構９５０が２つのリンク部材９５１、９５２の連結部に受ける入力Ｆｓと、摩擦部材９５５の位置における、倍力機構９５０の出力Ｆｐとの間には、以下の関係がある。
【００３３】
Ｆｐ＝Ｆｓ・Ｘ／（２Ｙ）
Ｘは、ハウジング９３の溝９３１の溝底と摩擦部材９５５との接点から軸Ｏ２までの距離であり、Ｙは、スライドピン９５２１の中心と軸Ｏ２とを結ぶ直線からの軸Ｏ３までの垂直距離である。
【００３４】
スライドピン９５２１の中心と軸Ｏ２とを結ぶ直線からの軸Ｏ３までの垂直距離Ｙが小さくなるほど、大きな出力Ｆｐが得られる。
【００３５】
倍力機構９５０の初期状態においては、上述したように、２つのリンク部材９５１、９５２がほぼ直線状に並ぶため、Ｙは非常に小さくなる。このため、倍力機構９５０は、プリロード状態のスプリング９５３の僅かな弾性力を入力Ｆｓとして受けながら、上記関係式により表される倍力作用により、外部振動、音響などの影響による回転盤９１の回転を阻止可能な摩擦力をハウジング９３の溝９３１の溝底９３２と摩擦部材９５５との間に作用させる力Ｆｐを発生させる。このような力Ｆｐで摩擦部材９５５がハウジング９３の溝９３１の溝底９３２に押し当てられるため、ユーザから回転盤９１が回転操作を受けていない状態において、外部振動、音響などの影響によって回転盤９１が回転するのを防止することができる。このため、ユーザの意図しないタイミングで、スクラッチ音が再生されることはない。
【００３６】
ここで、ユーザが、操作面９１１において回転操作を行い、回転盤９１を回転軸９２周りに強制的に回転させると、ストッパ９５も回転盤９１とともに回転する。２本のリンク部材９５１、９５２は、図４（Ｂ）に示すように、ユーザの回転操作に伴う回転により、２本のリンク部材９５１、９５２の連結部が、スプリング９５３の弾性力Ｆ２の回転盤９１径方向成分と遠心力Ｆとが釣り合う位置まで、回転軸９２から離れる方向に移動する。これにより、ガイド部材９５４のガイド溝９５４１に沿って第二のリンク部材９５２が引き上げられるため、ハウジング９３の溝９３１の溝底９３２に押し当てられていた摩擦部材９５５が、ハウジング９３から離れる方向に移動して、ハウジング９３と摩擦部材９５５との接触によるロック状態が解除される。したがって、回転盤９１は、ストッパ９５の制動を受けることなく、ユーザの回転操作に応じてスムーズに回転する。このため、ユーザは、違和感を覚えることなく、回転盤９１を自在に操作することができる。
【００３７】
その後、ユーザが操作面９１１における回転操作を停止すると、回転盤９１は徐々に減速する。このとき、第一のリンク部材９５１が回転盤９１の取付け部９１２の突起部９１３に接触するまで２本のリンク部材９５１、９５２の連結部がスプリング９５３の弾性力Ｆ２で回転軸９２側に引き寄せられる。これにより、倍力機構９５０が初期状態（図４（Ａ））に復帰し、回転盤９１の回転が阻止される。
【００３８】
以上、本実施の形態について説明した。
【００３９】
本実施の形態によれば、回転盤９１が回転操作を受け付けていない場合には、倍力機構９５０の出力により、摩擦部材９５５が、回転盤９１を回転可能に保持するハウジング９３に押し当てられるため、両者間に作用する摩擦により回転盤９１の回転が阻止される一方、回転盤９１が回転操作を受け付けている場合には、倍力機構９５０が回転盤９１とともに回転しながら遠心力で変位して、摩擦部材９５５がハウジング９３から離されるため、回転盤９１がスムーズに回転する。このため、回転盤９１の良好な操作性を維持しつつ、回転盤９１の動作をより安定させることができる。
【００４０】
なお、本発明は上記の実施の形態に限定されるものではなく、その要旨の範囲内で数々の変形が可能である。
【００４１】
例えば、回転盤９１がユーザから回転操作を受け付けた場合に、倍力機構９５０が遠心力を受けてスムーズに変位するように、例えば、２本のリンク部材９５１、９５２の連結部に適切な重さのウエイトを取り付けてもよい。
【００４２】
また、本実施の形態では、ストッパ９５を回転軸９２近傍に取り付けているが、ストッパ９５の位置は、必ずしも、回転軸９２近傍である必要はない。例えば、回転軸９２から回転盤９１の径方向に離れた位置にストッパ９５を取り付けてもよい。これにより、回転により、倍力機構９５０には、より大きな遠心力が作用するため、回転盤９１の回転操作に応じて、より素早く回転盤９１のロック状態を解除することができる。
【００４３】
また、本実施の形態においては、回転盤９１が停止している場合に倍力機構９５０に入力Ｆｓを与え、回転中の回転盤９１が停止した場合に倍力機構９５０を初期状態に復帰させるためにスプリング９５３を用いているが、スプリング９５３以外の弾性体（例えば、ゴム部材等）を用いてよい。
【００４４】
また、本実施の形態においては、回転盤９１の停止中、自然長よりも伸ばされた状態にプリロードされたスプリング９５３を用いて、回転軸９２に向かう方向の弾性力を倍力機構９５０に入力しているが、倍力機構９５０とスプリング９５３との位置関係に応じて、自然長よりも伸ばされた状態および自然長よりも圧縮された状態のいずれかのスプリングを用いればよい。例えば、フック固定用ポスト９５４２の取付け部が、２本のリンク部材９５１、９５２に対して回転軸９２の反対側に位置している場合には、自然長よりも圧縮された状態にプリロードされたスプリングを用いる。
【００４５】
また、本実施の形態では、光ディスクに記録されたデジタルオーディオデータを再生する再生装置を例に挙げたが、再生対象のオーディオデータは、光ディスクに記録されたものに限られず、光ディスク以外の可搬型記録媒体、内蔵または外付けの補助記憶装置に記録されたデジタルオーディオデータであってもよい。
【００４６】
また、本実施の形態においては、ＤＡＣ５を設けているが、出力端子６にデジタル入力可能な機器が接続される場合には、ＤＡＣ５を設けず、オーディオデータが所定のデジタルフォーマットで出力するようにしてもよい。
【符号の説明】
【００４７】
１００：再生装置、  １：再生部、  ２：信号処理部、  ３：ＲＡＭ、  ４：メモリ制御部、  ５：ＤＡＣ、  ６：出力端子、  ７：制御部、  ８：記憶部、  ９：操作部、  ９０：回転操作部、  ９１：回転盤、  ９２：回転軸、  ９３：ハウジング、  ９４：ベアリング、  ９５：ストッパ、  ９１１：操作面、  ９１２：取付け部、  ９１３：突起部、  ９１４：回転軸固定用ボス、  ９３１：溝、  ９５０：倍力機構、  ９５１、９５２：リンク部材、  ９５３：スプリング、  ９５４：ガイド部材、  ９５５：摩擦部材、  ９５２１：スライドピン、  ９５４１：ガイド溝、  
９５４２：フック固定用ポスト
【図１】
2015069659.tif 000003
【図２】
2015069659.tif 000004
【図３】
2015069659.tif 000005
【図４】
2015069659.tif 000006